(57)【要約】【課題】移動通信システム及び移動端末計数方法に関し、所望の地域の移動端末数を計数する。【解決手段】無線制御局ＲＮＣと、基地局Ｎｏｄｅ−Ｂと、移動端末ＵＥと、コンテントプロバイダＣＰとを含み、所望地域に報知情報を送信し、この報知情報を受信検出した移動端末ＵＥからの特性情報を含む応答信号を受信して、コンテントプロバイダＣＰから指示された特性情報対応のＭＢＭＳ  ＩＤを含むＭＢＭＳ加入要求をカラーリングアクティベータＣＡから送信する。コンテントプロバイダＣＰは、無線制御局ＲＮＣから利用可能のＭＢＭＳを求めて、ＭＢＭＳ  ＩＤと移動端末ＵＥの特性情報と対応させたリストをカラーリングアクティベータＣＡに通知する。無線制御局ＲＮＣは、ＭＢＭＳ  ＩＤ対応のＭＢＭＳ加入移動端末数を計数して、コンテントプロバイダＣＰに送信し、コンテントプロバイダＣＰに於いて集計する。【選択図】図１
2008153804.tif 000002
【特許請求の範囲】
【請求項１】
無線制御局に接続された基地局を介してＭＢＭＳを利用可能とした移動端末と、前記無線制御局にコアネットワークを介して接続されたコンテントプロバイダとを含み、該コンテントプロバイダにより所望の地域の所望の特性情報を有する移動端末を計数する移動通信システムに於いて、
所望地域をサービスエリアとして報知情報を送信し、該報知情報を受信検出した前記移動端末からの該移動端末の特性情報を含む応答信号を受信して、前記コンテントプロバイダから指示された前記特性情報対応のＭＢＭＳ識別情報を含むＭＢＭＳ加入要求を送信する機能を有するカラーリングアクティベータを設け、
前記コンテントプロバイダは、前記無線制御局から利用可能のＭＢＭＳを求め、該ＭＢＭＳを示すＭＢＭＳ識別情報と前記移動端末の特性情報と対応させたリストを前記カラーリングアクティベータに通知し、前記無線制御局に於いて計数した前記ＭＢＭＳ識別情報対応のＭＢＭＳ加入移動端末数を収集して集計する機能部を備えた
ことを特徴とする移動通信システム。
【請求項２】
所望の地域に配置した前記カラーリングアクティベータは、前記報知情報を送信し、該報知情報を受信検出した前記移動端末からの特性情報を含む応答信号を受信する移動端末検知部と、前記コンテントプロバイダからの前記移動端末の特性情報と対応させたＭＢＭＳ識別情報とを保持する保持部と、前記移動端末検知部により前記応答信号を受信した移動端末の特性情報に対応するＭＢＭＳ識別情報のＭＢＭＳに対する加入要求を行う加入制御部とを備えたことを特徴とする請求項１記載の移動通信システム。
【請求項３】
前記カラーリングアクティベータの前記保持部と前記加入制御部と前記移動端末検知部とを含む機能部を前記基地局に設け、該機能部と前記コンテントプロバイダとの間を、前記コアネットワークと前記無線制御局とを介して情報転送するように接続した構成を備えたことを特徴とする請求項１記載の移動通信システム。
【請求項４】
前記移動端末は、前記基地局との間の送受信機能部と、前記カラーリングアクティベータからの報知情報を受信検出して、該移動端末の特性情報を含む応答信号を送出するカラーリングアクティベータ検知部と、前記カラーリングアクティベータから通知されたＭＢＭＳ識別情報のＭＢＭＳに対する加入要求を前記基地局に送信する制御処理を行うＭＢＭＳサービス加入制御部とを備えたことを特徴とする請求項１記載の移動通信システム。
【請求項５】
無線制御局に接続された基地局を介してＭＢＭＳを利用可能とした移動端末と、前記無線制御局にコアネットワークを介して接続されたコンテントプロバイダと、所望地域をサービスエリアとして報知情報を送信し、該報知情報を受信検出した前記移動端末からの該移動端末の特性情報を含む応答信号を受信して、前記コンテントプロバイダから指示された前記特性情報対応のＭＢＭＳ識別情報を含むＭＢＭＳ加入要求を送信する機能を有するカラーリングアクティベータとを含み、前記コンテントプロバイダは、前記無線制御局から利用可能のＭＢＭＳを求めて前記移動端末の特性情報と前記ＭＢＭＳ識別情報とを対応させたリストを前記カラーリングアクティベータに通知し、該カラーリングアクティベータから前記移動端末へ前記ＭＢＭＳ識別情報を含むＭＢＭＳ加入要求を送信し、前記無線制御局に於ける前記ＭＢＭＳ識別情報対応のＭＢＭＳ加入移動端末の計数結果を収集して集計する過程を含む
ことを特徴とする移動端末計数方法。
【発明の詳細な説明】
【技術分野】
【０００１】
本発明は、３ＧＰＰ（３ｒｄ  Ｇｅｎｅｒａｔｉｏｎ  Ｐａｒｔｎｅｒｓｈｉｐ  Ｐｒｏｊｅｃｔ；第３世代移動体通信標準化グループ）によるＷ−ＣＤＭＡエンハンス仕様の一つのＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ；同報通信サービス）を適用し、所望条件の移動端末を計数可能とした移動通信システム及び移動端末計数方法に関する。
【背景技術】
【０００２】
移動通信システムは、例えば、図１０に示すように、コアネットワークＣＮ（Ｃｏｒｅ  Ｎｅｔｗｏｒｋ）に接続された複数の無線制御局ＲＮＣ（Ｒａｄｉｏ  Ｎｅｔｗｏｒｋ  Ｃｏｎｔｒｏｌｌｅｒ）と、各無線制御局ＲＮＣに接続された複数の基地局Ｎｏｄｅ−Ｂとから構成され、それぞれ相互間は、ＩＰ（Ｉｎｔｅｒｎｅｔ  Ｐｒｏｔｏｃｏｌ）伝送路、若しくはＡＴＭ（Ａｓｙｎｃｈｒｏｎｏｕｓ  Ｔｒａｎｓｆｅｒ  Ｍｏｄｅ）伝送路により接続される。又各基地局Ｎｏｄｅ−Ｂのサービスエリア内を移動可能として無線通信し、又は複数の異なるサービスエリアを通過するように移動しながら無線通信する複数の移動端末ＵＥ（Ｕｓｅｒ  Ｅｑｕｉｐｍｅｎｔ）を有し、前述のＭＢＭＳを適用した場合、基地局Ｎｏｄｅ−Ｂとそのサービスエリア内の複数の移動端末ＵＥとは、共通チャネルにより通信を行うものである。
【０００３】
又図１１は、従来例の移動端末を計数するシステムの概要説明図であり、図１０と同一符号は同一名称部分を示し、移動端末ＵＥの動向調査や統計等の為の計数サーバをコアネットワークＣＮに接続する。この計数サーバは登録端末が接続されている。又コアネットワークＣＮに接続したホームロケーションレジスタＨＬＲ（Ｈｏｍｅ  Ｌｏｃａｔｉｏｎ  Ｒｅｇｉｓｔｅｒ）は、移動端末ＵＥの位置情報、サービス情報、認証情報等の加入者情報を記録、管理するデータベースに相当し、位置登録エリア単位で移動端末ＵＥの現在位置を管理する。従って、移動端末ＵＥの呼び出しを行う場合、ホームロケーションレジスタＨＬＲにアクセスして、その移動端末ＵＥの位置登録エリアを検索し、無線基地局ＲＮＣから、移動端末ＵＥの位置登録エリアの基地局Ｎｏｄｅ−Ｂに指示して一斉呼出しを行い、移動端末ＵＥの応答により、その在圏エリアが特定されることになる。なお、位置登録エリアは、複数セルから構成されている場合が一般的である。
【０００４】
調査対象とする移動端末ＵＥの番号及びユーザの性別や年齢等を示す特性情報を、登録端末から入力することにより、計数サーバに設定登録される。この設定登録された全調査対象移動端末に対して、ホームロケーションレジスタＨＬＲを検索し、それぞれの位置登録エリアを求めて、その位置登録エリア毎に一斉呼出しを行う。この一斉呼出しに応答した移動端末ＵＥの特性情報を集計することにより、例えば、エリア毎の所望のグループに属する人数等を集計することができる。
【０００５】
又ＭＢＭＳは、前述のように、３ＧＰＰで標準化されているＷ−ＣＤＭＡエンハンス仕様の一つであって、コアネットワークＣＮ側の唯一のソースから複数の移動端末ＵＥに対して共通のデータを提供するサービスであり、図１２に示すような論理接続構成となる。なお、図１１と同一符号は同一部分を示し、各基地局Ｎｏｄｅ−Ｂのエリア又はセル内の複数の移動端末ＵＥ＃０〜ＵＥ＃４との間は共通チャネル（共通Ｃｈ）を用いて送受信が行われる。例えば、無線制御局ＲＮＣは、接続された基地局Ｎｏｄｅ−Ｂの個数分送信データをコピーして各基地局Ｎｏｄｅ−Ｂへ転送し、各基地局Ｎｏｄｅ−Ｂは、下りの共通チャネル（共通Ｃｈ）により送信する。複数の移動端末ＵＥが共通チャネルを利用することにより、移動端末ＵＥ対応の個別チャネルを利用する場合に比較して、リソースの効率的な運用が可能となるものである。
【０００６】
又無線制御局ＲＮＣから任意のタイミングで、移動端末に対してカウンティング指示を与えると、特定ＩＤを受信している移動端末ＵＥがそれぞれ報告する機能が用意されている。即ち、無線制御局ＲＮＣは、共通チャネルにより、カウンティング要求を送信する。このカウンティング要求を受信した移動端末ＵＥは、ＭＢＭＳを適用する予定又は受信継続中の場合、その要求に対して応答する。この応答をエリア又はセル対応に計数することにより、ＭＢＭＳ利用移動端末数を求めることができる。それにより、移動端末数が少ないエリア又はセルに於いては、共通チャネルから個別チャネルへ移行するか否かの判断を行うことができる。
【０００７】
又移動端末ＵＥの移動先に対応する無線制御局ＲＮＣに於いて、移動してきた移動端末ＵＥの個数を把握する為に、移動端末ＵＥは、移動元の無線制御局ＲＮＣの識別情報ＩＤを移動先の無線制御局ＲＮＣに、サービスを受けているＭＢＭＳのＩＤと、移動端末ＵＥのＩＤと、移動元の無線制御局ＲＮＣのＩＤとを送信し、この移動元の無線制御局ＲＮＣは、移動端末が移動元のエリア又はセルから離脱して、移動先のエリア又はセルに移動したことを、移動元の無線制御局ＲＮＣへ通知することにより、移動端末ＵＥの移動先に於いても、ＭＢＭＳを継続して利用可能とする手段が提案されている（例えば、特許文献１参照）。
【特許文献１】特開２００４−２２１７５８号公報
【発明の開示】
【発明が解決しようとする課題】
【０００８】
複数の移動端末に対して同一の情報を提供する場合、ＭＢＭＳによる共通チャネルを利用することにより、移動無線システムのリソースの効率的な運用が可能となる。その場合、エリア又はセル内のＭＢＭＳ利用の移動端末の個数を計数して、共通チャネル利用か個別チャネル利用かを判定することが行われる。このような移動端末の個数を計数する機能を利用して、特定の条件の移動端末が特定のエリア又はセル内の存在数を調査することができる。その場合、例えば、図１１に示すように、計数サーバに接続した登録端末から調査対象とする特定の条件を入力し、計数サーバは、計数要求をコアネットワークＣＮを介して無線制御局ＲＮＣに送信し、無線制御局ＲＮＣからの制御により、基地局Ｎｏｄｅ−Ｂを介して、ほぼ同時に移動端末ＵＥの呼出しを行い、その呼出しに応答した移動端末ＵＥの計数を無線制御局ＲＮＣに於いて行い、計数サーバへ転送する。
【０００９】
このような特定エリア内に存在する特定条件の移動端末を計数する為には、調査対象移動端末を特定する為の条件等を、計数サーバに接続した登録端末から手作業で入力する必要があり、従って、入力作業が煩雑であると共に入力ミス等の発生の可能性を含む問題がある。更に、調査対象移動端末に対して一斉に呼出しを行うことから、大量のネットワークリソースを必要とする問題もある。又応答した移動端末の集計作業に於いては、移動端末対応に位置を特定する為の処理をほぼ同時に実行する必要があり、従って、大きなサーバ処理能力を必要とする問題がある。又移動端末の集計作業に於いて、個々の移動端末対応にその位置情報と特性情報とを収集するものであるから、特定の移動端末の各種の情報を計数サーバに於いて収集することが可能となる為、プライバシーの問題が生じる。
【００１０】
本発明は、前述の従来例の問題点を解決し、所望のエリア又はセル内の所望の条件の移動端末を集計することを目的とする。
【課題を解決するための手段】
【００１１】
本発明の移動通信システムは、無線制御局に接続された基地局を介してＭＢＭＳを利用可能とした移動端末と、前記無線制御局にコアネットワークを介して接続されたコンテントプロバイダとを含み、このコンテントプロバイダにより所望の地域の所望の特性情報を有する移動端末を計数する移動通信システムであって、所望地域をサービスエリアとして報知情報を送信し、この報知情報を受信検出した移動端末からの特性情報を含む応答信号を受信して、コンテントプロバイダから指示された特性情報対応のＭＢＭＳ識別情報を含むＭＢＭＳ加入要求を送信する機能を有するカラーリングアクティベータを設け、コンテントプロバイダは、無線制御局から利用可能のＭＢＭＳを求め、このＭＢＭＳを示すＭＢＭＳ識別情報と移動端末の特性情報と対応させたリストをカラーリングアクティベータに通知し、無線制御局に於いて計数したＭＢＭＳ識別情報対応のＭＢＭＳ加入移動端末数を収集して集計する機能部を備えている。
【００１２】
又所望の地域に配置したカラーリングアクティベータは、報知情報を送信して、この報知情報を受信検出した移動端末からの特性情報を含む応答信号を受信する移動端末検知部（ＵＥ検知部）と、コンテントプロバイダからの移動端末の特性情報と対応させたＭＢＭＳ  ＩＤとを保持する保持部（ＭＢＭＳ  ＩＤ情報保持部）と、移動端末検知部により応答信号を受信した移動端末の特性情報に対応するＭＢＭＳ識別情報のＭＢＭＳに対する加入要求を行う加入制御部（ＭＢＭＳサービス加入制御部）とを備えている。
【００１３】
又カラーリングアクティベータの保持部（ＭＢＭＳ  ＩＤ情報保持部）と、加入制御部（ＭＢＭＳサービス加入制御部）と、移動端末検知部（ＵＥ検知部）とを含む機能部を基地局に設け、この機能部とコンテントプロバイダとの間を、コアネットワークと無線制御局とを介して情報転送するように接続した構成を備えることができる。
【００１４】
又移動端末は、基地局との間の送受信機能部と、カラーリングアクティベータからの報知情報を受信検出して、移動端末の特性情報を含む応答信号を送出するカラーリングアクティベータ検知部と、カラーリングアクティベータから通知されたＭＢＭＳ識別情報のＭＢＭＳに対する加入要求を前記基地局に送信する制御処理を行うＭＢＭＳサービス加入制御部とを備えている。
【００１５】
本発明の移動端末計数方法は、無線制御局に接続された基地局を介してＭＢＭＳを利用可能とした移動端末と、無線制御局にコアネットワークを介して接続されたコンテントプロバイダと、所望地域をサービスエリアとして報知情報を送信し、この報知情報を受信検出した移動端末からの特性情報を含む応答信号を受信して、コンテントプロバイダから指示された特性情報対応のＭＢＭＳ識別情報を含むＭＢＭＳ加入要求を送信する機能を有するカラーリングアクティベータとを含み、コンテントプロバイダは、無線制御局から利用可能のＭＢＭＳを求めて移動端末の特性情報とＭＢＭＳ識別情報とを対応させたリストをカラーリングアクティベータに通知し、このカラーリングアクティベータから移動端末へＭＢＭＳ識別情報を含むＭＢＭＳ加入要求を送信し、無線制御局に於けるＭＢＭＳ識別情報対応のＭＢＭＳ加入移動端末の計数結果を収集して集計する過程を含むものである。
【発明の効果】
【００１６】
所望の地域に報知情報を送信し、受信応答した移動端末の特性情報に従ったＭＢＭＳ  ＩＤ（ＭＢＭＳ識別情報）を割当てて、その移動端末をＭＢＭＳに加入させ、無線制御局に於けるＭＢＭＳの加入移動端末数の計数手段を利用して、ＭＢＭＳ  ＩＤ対応のＭＢＭＳに加入した移動端末を計数し、その結果をコンテントプロバイダに通知し、コンテントプロバイダに於いて所望の地域内の移動端末数を求めるものであり、その場合に、所望地域が広範囲の場合でも移動端末の一斉呼出しを行うものではないから、ネットワークのリソースの効率的な運用が可能となる利点があり、且つコンテントプロバイダに於ける移動端末の特性情報対応の計数処理を、正確に且つ容易に行うことができる利点がある。又移動端末の個々の情報を収集するものではく、性別や年齢等の所望の特性情報対応の移動端末数を求めるものであるから、プライバシーの問題がない利点がある。
【発明を実施するための最良の形態】
【００１７】
本発明の移動通信システムは、図１を参照して説明すると、無線制御局ＲＮＣに接続された基地局Ｎｏｄｅ−Ｂを介してＭＢＭＳを利用可能とした移動端末ＵＥと、無線制御局ＲＮＣにコアネットワークＣＮを介して接続されたコンテントプロバイダＣＰとを含み、このコンテントプロバイダＣＰにより所望の地域の所望の特性情報を有する移動端末ＵＥを計数する移動通信システムであって、所望地域をサービスエリアとして報知情報を送信し、この報知情報を受信検出した移動端末ＵＥからの特性情報を含む応答信号を受信して、コンテントプロバイダＣＰから指示された特性情報対応のＭＢＭＳ識別情報を含むＭＢＭＳ加入要求を送信する機能を有するカラーリングアクティベータＣＡを設け、コンテントプロバイダＣＰは、無線制御局ＲＮＣから利用可能のＭＢＭＳを求め、このＭＢＭＳを示すＭＢＭＳ識別情報と移動端末ＵＥの特性情報と対応させたリストをカラーリングアクティベータＣＡに通知し、無線制御局ＲＮＣに於いて計数したＭＢＭＳ識別情報対応のＭＢＭＳ加入移動端末数を収集して集計する機能部を備えている。
【００１８】
本発明の移動端末計数方法は、無線制御局ＲＮＣに接続された基地局Ｎｏｄｅ−Ｂを介してＭＢＭＳを利用可能とした移動端末ＵＥと、無線制御局ＲＮＣにコアネットワークＣＮを介して接続されたコンテントプロバイダＣＡと、所望地域をサービスエリアとして報知情報を送信し、この報知情報を受信検出した移動端末ＵＥからの特性情報を含む応答信号を受信して、コンテントプロバイダＣＰから指示された特性情報対応のＭＢＭＳ識別情報を含むＭＢＭＳ加入要求を送信する機能を有するカラーリングアクティベータＣＡとを含み、コンテントプロバイダＣＰは、コアネットワークＣＮを介して、無線制御局ＲＮＣから利用可能のＭＢＭＳを求めて移動端末ＵＥの特性情報とＭＢＭＳ識別情報とを対応させたリストを作成し、このリストをカラーリングアクティベータＣＡに通知し、このカラーリングアクティベータＣＡから移動端末ＵＥへＭＢＭＳ識別情報を含むＭＢＭＳ加入要求を送信し、無線制御局ＲＮＣに於けるＭＢＭＳ識別情報対応のＭＢＭＳ加入移動端末の計数結果を収集して集計する過程を含むものである。
【実施例１】
【００１９】
図１は、本発明の実施例１の説明図であり、ＣＮはコアネットワーク、ＢＭ−ＳＣ（Ｂｒｏａｄｃａｓｔ−Ｍｕｌｔｉｃａｓｔ  Ｓｅｒｖｉｃｅ  Ｃｅｎｔｅｒ）はＭＢＭＳのデータ配送制御やセキュリティ制御等を行うサービスセンタ、ＧＧＳＮ（Ｇａｔｅｗａｙ  ＧＰＲＳ  Ｓｕｐｐｏｒｔ  Ｎｏｄｅ）はインターネットに接続する為のサービスプロバイダや企業網と接続されるノード、ＳＧＳＮ（Ｓｅｒｖｉｎｇ  ＧＰＲＳ  Ｓｕｐｐｏｒｔ  Ｎｏｄｅ）は無線アクセスネットワーク側と接続する為のノード、ＲＮＣ（Ｒａｄｉｏ  Ｎｅｔｗｏｒｋ  Ｃｏｎｔｒｏｌｌｅｒ）は無線制御局、Ｎｏｄｅ−Ｂは基地局，ＵＥ（Ｕｓｅｒ  Ｅｑｕｉｐｍｅｎｔ）は移動端末、ＣＰ（Ｃｏｎｔｅｎｔ  Ｐｒｏｖｉｄｅｒ）はコンテントプロバイダ、ＣＡ（Ｃｏｌｏｒｉｎｇ  Ａｃｔｉｖａｔｏｒ）はカラーリングアクティベータ、Ｃｅｌｌはセルを示す。このセルＣｅｌｌは、基地局Ｎｏｄｅ−Ｂ毎に複数形成されている場合を示す。
【００２０】
コアネットワークＣＮには、ＭＢＭＳのサービスセンタＢＭ−ＳＣとノードＧＧＳＮ，ＳＧＳＮとが配置され、ノードＳＧＳＮに複数の無線制御局ＲＮＣが接続され、無線制御局ＲＮＣに複数の基地局Ｎｏｄｅ−Ｂが接続され、各基地局Ｎｏｄｅ−Ｂのサービスエリアは前述のように複数のセルＣｅｌｌに分割されている場合を示す。又コアネットワークＣＮのＭＢＭＳのサービスセンタＢＭ−ＳＣにコンテントプロバイダＣＰが接続され、このコンテントプロバイダＣＰに、所望のセルＣｅｌｌに配置された複数のカラーリングアクティベータＣＡがコアネットワークＣＮの一部又はＬＡＮ等のネットワークにより接続される。このカラーリングアクティベータＣＡは、移動端末ＵＥが受信可能の報知情報を送信し、移動端末ＵＥからの応答信号を受信可能の構成を有し、カラーリングアクティベータＣＡのサービスエリアは、基地局Ｎｏｄｅ−ＢのセルＣｅｌｌに比較して狭い範囲の場合を示し、従って、所望の地域をカバーする為に、図示のように、同一のセルＣｅｌｌ内に複数のカラーリングアクティベータＣＡを配置した場合を示す。このカラーリングアクティベータＣＡの通信方式としては、無線ＬＡＮに適用されている通信方式、例えば、近距離通通信用の２．４ＧＨｚ帯の電波を使用するブルートゥース（Ｂｌｕｅｔｏｏｔｈ）方式を適用することも可能であり、又他の通信方式を適用することができる。この場合、移動端末ＵＥにも、カラーリングアクティベータＣＡの通信方式に対応した無線送受信手段を搭載するものである。
【００２１】
移動端末ＵＥは、カラーリングアクティベータＣＡのサービスエリアに移動すると、カラーリングアクティベータＣＡからの報知情報を受信することができ、この報知情報を受信検出すると、移動端末特性情報を含む接近通知をカラーリングアクティベータＣＡに送信する。カラーリングアクティベータＣＡは、報知情報に応答した移動端末ＵＥに対して、コンテントプロバイダＣＰから設定されている移動端末の特性情報とＭＢＭＳ  ＩＤ（ＭＢＭＳ識別情報）とを対応つけたリストを参照し、例えば、性別や年齢等に対応したＭＢＭＳ  ＩＤを通知し、このＭＢＭＳ  ＩＤ対応のＭＢＭＳに加入するように要求する。ＭＢＭＳ  ＩＤは、複数のＭＢＭＳを個別に識別する為の識別情報であり、従って、ＭＢＭＳ加入要求に応じて、移動端末ＵＥがＭＢＭＳ  ＩＤ対応のＭＢＭＳに加入することができる。そして、コンテントプロバイダＣＰからの移動端末の計数要求に従って、基地局Ｎｏｄｅ−Ｂを管理する無線基地局ＲＮＣは、ＭＢＭＳ  ＩＤ対応の加入移動端末を計数する機能を備えているから、その計数結果を、コンテントプロバイダＣＰは、コアネットワークＣＮを介して収集することが可能となり、所望の地域内の所望の特性情報対応の移動端末数の計数結果を得ることができる。
【００２２】
図２は、コンテントプロバイダと無線制御局と移動端末とカラーリングアクティベータとの機能部を示し、図１に示す場合と同様に、コンテントプロバイダＣＰは、コアネットワークのＭＢＭＳのサービスセンタＢＭ−ＳＣに接続され、無線制御局ＲＮＣは、コアネットワークのＭＢＭＳのサービスセンタＢＭ−ＳＣと、ノードＳＧＳＮ，ＧＧＳＮとを介して接続され、基地局Ｎｏｄｅ−Ｂは無線制御局ＲＮＣに接続され、カラーリングアクティベータＣＡは、コンテントプロバイダＣＰに接続され、移動端末ＵＥは、基地局Ｎｏｄｅ−Ｂとの間及びカラーリングアクティベータＣＡとの間は、無線で接続される構成となる。又二点鎖線はそれぞれの機能部間の情報の流れを示す。なお、各部間の通信の為の送受信機能部は図示を省略している。
【００２３】
コンテントプロバイダＣＰは、実線で囲った既存の機能部１Ａと、一点鎖線で囲った新規の機能部１Ｂとを含む構成を有し、既存の機能部１Ａは、既に知られている構成を有するもので、ＭＢＭＳサービスソース１１を含む場合を示す。又新規の機能部１Ｂは、カラーリングアクティベータ制御部（ＣＡ制御部）１２と、ＭＢＭＳ  ＩＤ管理部１３と、カウンティング制御部（ＣＴ制御部）１４とを含む構成を有する。ＣＡ制御部１２は、ＭＢＭＳ  ＩＤ管理部１３の指示に従って、カラーリングアクティベータＣＡに対して、加入させるべきＭＢＭＳのＩＤと加入条件との対応を示すリストを通知する。このリストは、カラーリングアクティベータＣＡのＭＢＭＳ  ＩＤ情報保持部４１に保持される。又ＭＢＭＳ  ＩＤ管理部１３は、無線制御局ＲＮＣのＭＢＭＳ  ＩＤ管理部２４に、複数のＭＢＭＳ  ＩＤの中の使用中でないＭＢＭＳを識別するＭＢＭＳ  ＩＤを要求し、通知された単一又は複数のＭＢＭＳ  ＩＤを各カラーリングアクティベータＣＡに割り振り、又ＭＢＭＳ  ＩＤとカラーリングアクティベータＣＡと加入条件とのリストを保持する。又ＣＴ制御部１４は、指定したＭＢＭＳ  ＩＤのＭＢＭＳに加入している移動端末ＵＥを計数するように、無線制御局ＲＮＣに指示する。無線制御局ＲＮＣは、ＭＢＭＳ加入移動端末数の計数機能のＣＴ制御部２５による計数結果を求めて集計し、指定した特性情報対応の移動端末ＵＥの総数を求める。
【００２４】
又無線制御局ＲＮＣは、実線で囲った既存の機能部２Ａと、一点鎖線で囲った新規の機能部２Ｂとを含む構成を有し、既存の機能部２Ａは、既に知られている構成を有するもので、ＲＲＣ（Ｒａｄｉｏ  Ｒｅｓｏｕｅｃｅ  Ｃｏｎｔｒｏｌ）処理部２１とＲＬＣ（Ｒａｄｉｏ  Ｌｉｎｋ  Ｃｏｎｔｒｏｌ）処理部２２とＭＡＣ（Ｍｅｄｉａ  Ａｃｃｅｓｓ  Ｃｏｎｔｒｏｌ）処理部２３とを示している。又新規の機能部２Ｂは、ＭＢＭＳ  ＩＤ管理部２４とカウンティング制御部（ＣＴ制御部）２５とを含む構成を有し、ＭＢＭＳ  ＩＤ管理部２４は、前述のように、コンテントプロバイダＣＰからの要求によりＭＢＭＳ  ＩＤを返送する。又ＣＴ制御部２５は、移動端末ＵＥのカウント情報を収集し、コンテントプロバイダＣＡに通知する。
【００２５】
又移動端末ＵＥは、実線で囲った既存の機能部３Ａと、一点鎖線で囲った新規の機能部３Ｂとを含む構成を有し、既存の機能部３Ａは、既に知られている構成を有するもので、ＭＡＣ処理部３１とＲＬＣ処理部３２とＲＲＣ処理部３３とを含む場合を示している。又新規の機能部３Ｂは、ＭＢＭＳサービス加入制御部３４とＣＡ検知部３５を含む構成を有し、ＭＢＭＳサービス加入制御部３４は、カラーリングアクティベータＣＡから指示されたＭＢＭＳサービスに加入するようＲＲＣ処理部３３に指示する。又ＣＡ検知部３５は、カラーリングアクティベータＣＡの報知情報を受信検出すると、そのカラーリングアクティベータＣＡに接近通知を送出する。カラーリングアクティベータＣＡを基地局Ｎｏｄｅ−Ｂと異なる位置に配置し、且つ異なる通信手段を用いる場合、移動端末ＵＥの新規の機能部３Ｂには、カラーリングアクティベータＣＡの通信方式に従った送受信機能部を設けるものである。
【００２６】
又カラーリングアクティベータＣＡは、ＭＢＭＳ  ＩＤ情報保持部４１とＭＢＭＳサービス加入制御部４２とＵＥ検知部４３とを含む新規機能部４Ｂを有し、ＭＢＭＳ  ＩＤ情報保持部４１は、コンテントプロバイダＣＡから通知されたＭＢＭＳとその加入条件とを保持する。又ＭＢＭＳサービス加入制御部４２は、ＵＥ検知部４３から通知された移動端末ＵＥの特性情報を基に、ＭＢＭＳ  ＩＤ情報保持部４１を参照し、ＭＢＭＳ  ＩＤを求めて、移動端末ＵＥに通知する。又ＵＡ検知部４３は、移動端末ＵＥからの接近通知を受信すると、ＭＢＭＳサービス加入制御部４２に通知する機能と、移動端末ＵＥがカラーリングアクティベータＣＡの存在を検知できるように、報知情報の送信制御を行う機能とを含むものである。
【００２７】
図３は、本発明の実施例１の初期設定動作の説明図であり、図１と同一符号は同一部分を示し、コンテントプロバイダＣＰからＣＰ→ＢＭ−ＳＣとして示すように、ＭＢＭＳチャネル開設をサービスセンタＢＭ−ＳＣに通知する。サービスセンタＢＭ−ＳＣは、ＢＭ−ＳＣ→ＲＮＣとして示すように、無線制御局ＲＮＣにＭＢＭＳを利用することを通知する。それにより、無線制御局ＲＮＣは、ＭＢＭＳの利用状況を基に、空き状態のＭＢＭＳ対応のＭＢＭＳ  ＩＤを、ＲＮＣ→ＣＰとして示すように、コンテントプロバイダＣＰに通知する。コンテントプロバイダＣＰは、それぞれのカラーリングアクティベータＣＡに、同一又は異なるＭＢＭＳ  ＩＤを割当てる条件、例えば、移動端末ＵＥの特性情報対応に割当てるＭＢＭＳ  ＩＤを設定する。
【００２８】
図４は、前述の初期設定動作のシーケンス説明図であり、図２と図３とを参照すると、コンテントプロバイダＣＰのＣＡ制御部１２とＭＢＭＳ  ＩＤ管理部１３と、コアネットワークのＭＢＭＳのデータ配送制御やセキュリティ制御等を行うサービスセンタＢＭ−ＳＣと、無線制御局ＲＮＣのＭＢＭＳ  ＩＤ管理部２４とＲＲＣ処理部２１と、カラーリングアクティベータＣＡ＃Ａ，ＣＡ＃ＢのＭＢＭＳ  ＩＤ情報保持部４１とについて示し、先ずＭＢＭＳリソース確保として、コンテントプロバイダＣＰのＭＢＭＳ  ＩＤ制御部から、サービスセンタＢＭ−ＳＣにＭＢＭＳチャネル開設を通知し、サービスセンタＢＭ−ＳＣから無線制御局ＲＮＣのＭＢＭＳ  ＩＤ管理部２４を介して、無線制御局ＲＮＣに、空き状態のＭＢＭＳ対応のＭＢＭＳ  ＩＤの払い出しを要求する。無線制御局ＲＮＣは、これに対して、複数のＭＢＭＳの中の使用中でない単一又は複数のＭＢＭＳ  ＩＤ、例えば、３個のＩＤ（ｘｘｘｘ，ｙｙｙｙ，ｚｚｚｚ）をコンテントプロバイダＣＰのＭＢＭＳ  ＩＤ管理部１３に返送する。
【００２９】
次に、ＭＢＭＳリソースの設定として、ＭＢＭＳ  ＩＤ管理部１３は、ＭＢＭＳ  ＩＤと加入条件（移動端末ＵＥの特性情報）とを関連付ける。例えば、ＭＢＭＳ  ＩＤのｘｘｘｘに対して、カラーリングアクティベータＣＡ＃Ａに接近した男性所持の移動端末、ｙｙｙｙに対して、カラーリングアクティベータＣＡ＃Ａに接近した女性所持の移動端末、ｚｚｚｚに対して、カラーリングアクティベータＣＡ＃Ｂに接近した総ての移動端末のように関連付けることができる。これをＣＡ制御部１２に通知し、ＣＡ制御部１２は、カラーリングアクティベータＣＡ＃Ａに対して男性所持の移動端末は、ＭＢＭＳ  ＩＤをｘｘｘｘ、女性所持の移動端末は、ＭＢＭＳ  ＩＤをｙｙｙｙとすることを通知し、カラーリングアクティベータＣＡ＃Ｂに対して、総ての移動端末は、ＭＢＭＳ  ＩＤをｚｚｚｚとすることを通知する。それにより、カラーリングアクティベータＣＡ＃ＡのＭＢＭＳ  ＩＤ情報保持部４１は、特性情報としての男性が所持する移動端末ＵＥに対しては、ＭＢＭＳ  ＩＤ＝ｘｘｘｘ、女性が所持する移動端末ＵＥに対しては、ＭＢＭＳ  ＩＤ＝ｙｙｙｙを割当てるように、移動端末ＵＥの特性情報対応のＭＢＭＳ  ＩＤを保持する。又カラーリングアクティベータＣＡ＃ＢのＭＢＭＳ  ＩＤ情報保持部４１は、総ての移動端末ＵＥに対して、ＭＢＭＳ  ＩＤ＝ｚｚｚｚを割当てるように保持する。
【００３０】
図５は、本発明の実施例１の追加動作の説明図であり、図１〜図４と同一符号は同一部分を示し、図３及び図４に示す状態から、更に他の移動端末ＵＥがカラーリングアクティベータＣＡに接近した場合の追加動作を示すもので、この場合の動作シーケンスを図６に示す。なお、図６に於いては、無線制御局ＲＮＣのＲＲＣ処理部２１と、移動端末ＵＥのＲＲＣ処理部３３とＭＢＭＳサービス加入制御部３４とＣＡ制御部３５と、カラーリングアクティベータＣＡのＵＥ検知部４３とＭＢＭＳサービス加入制御部４２とＭＢＭＳ  ＩＤ情報保持部４１とについて示し、カラーリングアクティベータＣＡについては、図４に於けるカラーリングアクティベータＣＡ＃Ａに相当する場合を示す。
【００３１】
移動端末ＵＥがカラーリングアクティベータＣＡに接近して報知情報を検知すると、移動端末ＵＥは特性情報を含む接近通知を送信する。カラーリングアクティベータＣＡのＵＥ検知部４３は、移動端末ＵＥの特性情報、この場合、性別として男性を示す特性情報をＭＢＭＳサービス加入制御部４２に転送する。このＭＢＭＳサービス加入制御部４２は、ＭＢＭＳ  ＩＤ情報保持部４１に於いて保持している例えば前述のコンテントプロバイダＣＰからの設定情報のＭＢＭＳ  ＩＤ＝ｘｘｘｘ＝男性、ＭＢＭＳ  ＩＤ＝ｙｙｙｙ＝女性の保持内容を参照し、接近通知と共に移動端末ＵＥの特性情報の性別が前述のように男性の場合、この移動端末ＵＥを加入させるＭＢＭＳ  ＩＤ＝ｘｘｘｘを含むＭＢＭＳへの加入要求を、ＭＢＭＳサービス加入制御部４２から、移動端末ＵＥのＭＢＭＳサービス加入制御部３４に送出する。
【００３２】
移動端末ＵＥのＭＢＭＳサービス加入制御部３４は、ＲＲＣ処理部３２にＭＢＭＳ  ＩＤ＝ｘｘｘｘを含む、ＭＢＭＳへの加入要求を行い、ＲＲＣ処理部３２は、加入動作（Ｊｏｉｎ動作）を行って、無線制御局ＲＮＣに移動端末情報を登録する。無線制御局ＲＮＣは、この移動端末ＵＥを、ＭＢＭＳ  ＩＤ＝ｘｘｘｘのＭＢＭＳに加入させる。このように、カラーリングアクティベータＣＡに接近した移動端末ＵＥの特性情報に対応したＭＢＭＳ  ＩＤと共に、ＭＢＭＳへの加入を要求する。なお、特性情報によっては、ＭＢＭＳ  ＩＤが割当てられない移動端末の場合もあり、その場合は、ＭＢＭＳへの加入要求は行われないことになる。
【００３３】
図７は、移動端末の計数（カウンティング；Ｃｏｕｎｔｉｎｇ）を行う動作説明図であり、図８は、移動端末の計数動作シーケンス説明図であって、前述の図１〜図６と同一符号は同一部分を示す。又図８に於いて、コンテントプロバイダＣＰは、移動端末の計数を行うＣＴ制御部１４について示し、無線制御局ＲＮＣは、ＲＲＣ処理部２１と計数処理を行うＣＴ制御部２５とについて示し、又移動端末については、ＭＢＭＳに加入している移動端末ＵＥ（Ａ）と、加入していない移動端末ＵＥ（Ｂ）とが存在する場合について示し、図８に於いては、移動端末のＲＲＣ制御部３３について示している。コンテントプロバイダＣＰのＣＴ制御部１４から調査対象地域に存在する全無線制御局ＲＮＣのＣＴ制御部２５に、コアネットワークを介して計数（カウンティング）要求を送出する。その場合、ＭＢＭＳ  ＩＤ対応のＭＢＭＳに加入している条件を含めることも可能である。即ち、移動端末ＵＥの特性情報を基にした条件を含めることができる。図８に於いては、ＭＢＭＳ  ＩＤ＝ｘｘｘｘに加入している移動端末ＵＥの集計を行う場合の例を示している。
【００３４】
無線制御局ＲＮＣのＣＴ制御部２５は、ＲＲＣ処理部２１に移動端末ＵＥの計数（カウンティング）処理を要求する。それにより、ＲＲＣ処理部２１は、無線制御局ＲＮＣ配下の全基地局Ｎｏｄｅ−Ｂに対して計数（カウンティング）要求を送出する。その場合、例えば、ＭＢＭＳ  ＩＤ＝ｘｘｘｘのＭＢＭＳに加入している移動端末であることを指定することができる。このような指定がない計数（カウンティング）要求の場合は、ＭＢＭＳに加入している全移動端末ＵＥが応答することになり、又前述のようにＭＢＭＳをＩＤにより特定すると、図８に示すように、ＭＢＭＳ  ＩＤ＝ｘｘｘｘのＭＢＭＳに加入している移動端末ＵＥ（Ａ）は応答し、又加入していない移動端末ＵＥ（Ｂ）は応答しない。この応答情報を、無線制御局ＲＮＣのＲＲＣ処理部２１は、基地局Ｎｏｄｅ−Ｂを介して収集し、ＣＴ制御部２５に於いて集計し、コンテントプロバイダＣＰのＣＴ制御部１４に計数（カウンティング）結果を送出する。これにより、コンテントプロバイダＣＰのＣＴ制御部１４は、各無線制御局ＲＮＣからの計数（カウンティング）結果を集計することにより、所望の地域に移動した所望の特性情報対応の移動端末ＵＥを計数することができ、各種の動向調査の一助とすることができる。
【実施例２】
【００３５】
図９は、本発明の実施例２の説明図であり、図１と同一符号は同一部分を示す。この実施例２に於いては、点線枠内で示すカラーリングアクティベータＣＡの機能部を、所望の地域をカバーできる基地局Ｎｏｄｅ−Ｂに設け、コンテントプロバイダＣＰとの間は、コアネットワークＣＮと無線制御局ＲＮＣとを介して通信可能の構成とする。即ち、図２に示すカラーリングアクティベータＣＡのＭＢＭＳ  ＩＤ情報保持部４１とＭＢＭＳサービス加入制御部４２とＵＥ検知部４３との機能を、所望の地域をカバーする基地局Ｎｏｄｅ−Ｂに設ける。又コンテントプロバイダＣＰと、無線制御局ＲＮＣとについても、図２に示す新規の機能部１Ｂ，２Ｂを設ける。又移動端末ＵＥは、基地局Ｎｏｄｅ−Ｂに設けたカラーリングアクティベータＣＡとの間の通信が可能の機能部３Ｂを設ける。従って、カラーリングアクティベータＣＡのＭＢＭＳ  ＩＤ情報保持部４１とコンテントプロバイダＣＰとの間は、無線制御局ＲＮＣとコアネットワークＣＮとを介して、移動端末ＵＥの計数要求情報や計数結果情報等の転送が行われる。
【００３６】
又基地局Ｎｏｄｅ−Ｂに設けたカラーリングアクティベータＣＡは、前述の実施例１に於ける送受信方式と同様に近距離通信方式を適用することも可能であるが、基地局Ｎｏｄｅ−Ｂ本来の無線送受信方式を適用し、基地局Ｎｏｄｅ−Ｂからの位置情報等を含む報知情報と共に、この報知情報とは識別可能としたカラーリングアクティベータＣＡとしての報知情報を送信することができる。この場合、移動端末ＵＥの図２に示すＣＡ検知部３５は、基地局Ｎｏｄｅ−ＢからのカラーリングアクティベータＣＡとしての報知情報を受信できる構成とし、且つカラーリングアクティベータＣＡのＵＥ検知部４３との間で情報送受信可能の構成とする。又移動端末Ｎｏｄｅ−ＢのＭＢＭＳサービス加入制御部３４も、基地局Ｎｏｄｅ−Ｂに設けたカラーリングアクティベータＣＡのＭＢＭＳサービス加入制御部４２との間で、情報送受信可能の構成とする。従って、移動端末ＵＥと基地局Ｎｏｄｅ−Ｂとに於けるそれぞれの無線送受信機能部（図示せず）は、Ｗ−ＣＤＭＡ方式に従った構成とすることができる。又基地局Ｎｏｄｅ−Ｂは、セルＣｅｌｌ単位で送受信処理できるから、カラーリングアクティベータＣＡの報知情報を、所望の地域をカバーするセルＣｅｌｌに対してのみ送信するように制御することも可能である。
【００３７】
又コンテントプロバイダＣＰが所望の地域に存在する所望の特性情報の移動端末ＵＥを計数する場合の制御処理は、図１〜図８を基に説明した場合と同様な処理によって実現することができるから、重複した説明は省略する。なお、この実施例２は、前述の実施例１に比較して、基地局Ｎｏｄｅ−ＢにカラーリングアクティベータＣＡの機能を含ませることにより、システムコスト上有利となる。
【００３８】
本発明は、前述の実施例１及び実施例２にのみ限定されるものではなく、種々付加変更することが可能であり、カラーリングアクティベータＣＡの機能により、移動端末ＵＥをその特性情報に従ったＭＢＭＳ  ＩＤを割当ててＭＢＭＳに加入させることにより、そのＭＢＭＳ  ＩＤのＭＢＭＳ加入数を無線制御局ＲＮＣに於いて求め、それを集計して、調査対象移動端末を自動的に且つ正確に計数することができる。又移動端末の一斉呼出しを行うものではないから、ネットワークリソースの効率的運用が可能であり、且つコンテントプロバイダＣＰに於ける計数処理も容易となる。又コンテントプロバイダＣＰに於いては、移動端末の計数を行うのみで、移動端末個々の位置情報等を収集するものではなく、プライバシーの問題は発生しないものである。
【図面の簡単な説明】
【００３９】
【図１】本発明の実施例１の説明図である。
【図２】本発明の実施例１の機能部の説明図である。
【図３】本発明の実施例１の初期設定動作の説明図である。
【図４】本発明の実施例１の初期設定シーケンス説明図である。
【図５】本発明の実施例１の追加動作の説明図である。
【図６】本発明の実施例１の追加動作シーケンス説明図である。
【図７】本発明の実施例１の計数動作の説明図である。
【図８】本発明の実施例１の計数動作シーケンス説明図である。
【図９】本発明の実施例２の説明図である。
【図１０】従来例の移動通信システムの説明図である。
【図１１】従来例の移動端末計数システムの概要説明図である。
【図１２】ＭＢＭＳの論理接続構成の概要説明図である。
【符号の説明】
【００４０】
ＣＮ  コアネットワーク
ＢＭ−ＳＣ  ＭＢＭＳのサービスセンタ
ＧＧＳＮ  ノード
ＳＧＳＮ  ノード
ＲＮＣ  無線制御局
Ｎｏｄｅ−Ｂ  基地局
ＣＰ  コンテントプロバイダ
ＣＡ  カラーリングアクティベータ
【図１】
2008153804.tif 000003
【図２】
2008153804.tif 000004
【図３】
2008153804.tif 000005
【図４】
2008153804.tif 000006
【図５】
2008153804.tif 000007
【図６】
2008153804.tif 000008
【図７】
2008153804.tif 000009
【図８】
2008153804.tif 000010
【図９】
2008153804.tif 000011
【図１０】
2008153804.tif 000012
【図１１】
2008153804.tif 000013
【図１２】
2008153804.tif 000014